【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
検査室における少なくとも１つの機器を制御するホストを構成するための方法であって、
前記ホストを、少なくとも１つのローカルなデータ要素を有するように構成することと、
前記ホストを、少なくとも１つのグローバルなデータ要素を有するように構成することであって、前記少なくとも１つのグローバルなデータ要素は、前記ホストと前記ホストに接続される少なくとも１つの他のホストとによって用いられる共通のデータ定義およびデータ値を有し、前記少なくとも１つのローカルなデータ要素は、前記ホストのみによって用いられるデータ定義およびデータ値を有し、前記データ要素のうちの少なくとも１つは、前記少なくとも１つの機器によって行なわれる処理に関連して前記ホストによって用いられる、構成することと、を含む方法。
【請求項２】
前記ホストおよび前記少なくとも１つの他のホストは、インターフェース・サーバと通信して、前記少なくとも１つのグローバルなデータ要素の最新のローカルなコピーを維持し、前記ホスト、前記少なくとも１つの他のホスト、および前記インターフェース・サーバは、検査室ネットワークに含まれ、前記インターフェース・サーバは、検査室情報システムに接続され、前記ホストにより制御される少なくとも１つの機器は解剖病理学検査室機器である請求項１に記載の方法。
【請求項３】
前記ホストの１つのローカルなデータ要素を新しいグローバルなデータ要素として構成することと、
前記新しいグローバルなデータ要素を前記インターフェース・サーバに伝達することと、
前記少なくとも１つの他のホストを、前記インターフェース・サーバを用いて前記新しいグローバルなデータ要素に基づいて構成することと、をさらに含む請求項２に記載の方法。
【請求項４】
情報が、前記検査室情報システムと前記インターフェース・サーバとの間で伝達され、前記情報には第１の部分および第２の部分が含まれ、前記第１の部分には、前記検査室情報システムから前記インターフェース・サーバに送られるテスト・オーダー情報および症例情報が含まれ、前記第２の部分には、テスト・オーダーについてのステータス情報が含まれ、前記第１の部分には、前記検査室情報システムにおいて手作業で入力されおよびさらなる手作業のデータ入力を行なうことなく前記検査室情報システムから伝達される症例情報が含まれ、方法はさらに、
前記ホストから前記インターフェース・サーバに、前記ホストにより制御される前記少なくとも１つの機器のうちの第１の機器によって行なわれるテストに対するテスト結果情報を伝達することと、
前記第２の部分を、前記インターフェース・サーバから前記検査室情報システムに送ることであって、前記第２の部分には、前記テスト結果情報に対応するステータス情報が含まれる、送ることと、を含む請求項２に記載の方法。
【請求項５】
前記インターフェース・サーバは、終了していないテスト・オーダーについての情報を含むデータベースを管理し、テスト・オーダーが終了したときに、前記テスト・オーダーについての情報が前記データベースから取り除かれる請求項４に記載の方法。
【請求項６】
前記ホストには、前記第１の機器によって行なわれるテストについての情報のローカルなデータベースが含まれ、方法はさらに、
前記第１の機器によって行なわれた終了したテストについてのテスト情報に対する要求を受け取ることと、
前記ホストの前記ローカルなデータベースからの前記終了したテストについての前記テスト情報を要求することと、
前記要求に応答を送ることであって、前記応答には、前記テスト情報に基づくデータが含まれる、送ることと、を含む請求項５に記載の方法。
【請求項７】
前記少なくとも１つのグローバルなデータ要素に対する更新が、前記ホストおよび前記少なくとも１つの他のホストに対して、各ホストによって行なわれる進行中の処理に基づいて自動的に複製されて、グローバルなデータ要素のデータベースを管理するサーバからデータ更新を得る請求項１に記載の方法。
【請求項８】
前記少なくとも１つのグローバルなデータ要素は、検査室における光学的エンコーディングで用いられる記号に対応する構成可能な記号識別子に対して、対応する構成オプションを有する構成データ要素であり、前記ホストにより制御される少なくとも１つの機器は、前記記号に基づいて動作し、前記記号に基づいて動作する前記少なくとも１つの機器は、前記記号に基づく走査動作をサポートする光学スキャナと、前記記号に基づくプリント動作をサポートするラベル・プリンタとのうちの少なくとも１つを含み、前記記号は、前記検査室内の処理に関連して用いられる要素に付随するバー・コード・ラベルで用いられ、前記要素には、サンプル、試料、および試薬のうちの少なくとも１つが含まれ、各バー・コード・ラベルが、前記バー・コード・ラベルに付随する要素についてのデータベースからのデータを得るために用いられる識別子をエンコードし、前記データには、前記データ要素のうちの少なくとも１つが含まれる、請求項１に記載の方法。
【請求項９】
前記ホストは、検査室における要素を識別するように構成され、方法は、さらに、
前記要素に付随するラベルによって、インタロゲータ信号を受け取ることと、
前記ラベルによって、前記インタロゲータ信号に応答して、電磁応答信号を送信することであって、前記電磁応答信号は、前記検査室における前記要素を一意に識別するために用いられる情報の第１の部分を少なくとも含み、かつ前記電磁応答信号は、前記要素に付随する前記ラベル内においてエンコードされる情報を用いて生成され、前記ラベルは、無線周波数の識別ラベルまたは赤外線の識別ラベルのうちの１つである、送信することと、
を含む請求項１に記載の方法。
【請求項１０】
前記ラベルは無線周波数の識別ラベルであり、前記要素は、前記無線周波数の識別ラベルから読み出し可能かつ前記無線周波数の識別ラベルに書き込み可能な情報を有する、サンプル、試料、または試薬のうちの１つであり、前記要素が前記サンプルまたは前記試料のうちの１つである場合、前記情報は、前記無線周波数の識別ラベル内においてエンコードされ、かつ患者情報、解剖病理学検査室において行なわれる少なくとも１つのテストについてのテスト情報、および同じバッチからの少なくとも１つの他の要素と前記要素とを識別するために用いられるバッチ情報のうちの少なくとも１つを含む、請求項９に記載の方法。
【請求項１１】
前記要素はサンプルであり、方法はさらに、
検査室処理におけるステップとして行なうべきテストに関連する前記テスト情報を、前記ステップを行なうべきであることを検証するために、前記テストを行なう前に前記無線周波数の識別ラベルから読み出すことと、
前記無線周波数の識別ラベルを、前記テストについてのさらなる情報を用いてエンコードすることであって、前記さらなる情報には、時間、日付、テスト・パラメータ、画像ファイルを識別するファイル名、およびテスト結果のうちの少なくとも１つが含まれる、エンコードすることと、
前記さらなる情報の少なくとも一部を読み出すことと、
前記一部に基づいて診断を決定することと、
前記診断についてのデータを用いて前記無線周波数の識別ラベルをエンコードすることと、
を含む請求項１０に記載の方法。
【請求項１２】
前記情報にはバッチ情報が含まれ、方法はさらに、
同じグループに属する複数の要素を、前記複数の要素の無線周波数の識別ラベル上でエンコードされる前記バッチ情報に基づいて、決定すること、を含む請求項１０に記載の方法。
【請求項１３】
前記検査室における前記要素の場所を、前記電磁応答信号に基づいて決定すること、
前記要素が少なくとも１つの検査室ワークフロー処理ステップに基づいて処理されるときに、前記ラベルを他の情報を用いてエンコードすること、
をさらに含む請求項９に記載の方法。
【請求項１４】
前記ラベルは、前記要素の表面に取り付けられるか、または前記要素に埋め込まれており、前記ラベルが前記要素の表面に取り付けられている場合、前記ラベルには、前記ラベルの表面上にインプリントされた他の情報が含まれ、前記他の情報には、装置によって読取可能な光学的に認識可能なデータと、人間が認識可能なデータとのうちの少なくとも１つが含まれ、前記他の情報には、前記要素を一意に識別する識別子を有するバー・コードが含まれる請求項１３に記載の方法。
【請求項１５】
前記第１の部分を用いて、データベースから前記要素についてのさらなる情報を得ることをさらに含む請求項９に記載の方法。
【請求項１６】
前記ホスト、インターフェース・サーバ、および検査室情報システムは、検査室ネットワークに含まれ、前記検査室情報システムは前記インターフェース・サーバと通信し、前記インターフェース・サーバは前記ホストと通信し、前記ホストによって制御される前記機器の１つはプリンタであり、前記ホストは、前記インターフェース・サーバが検査室情報システムからのオーダーを受け取ることに応答して、スライド・ラベルを自動的にプリントするように構成される、請求項１に記載の方法。
【請求項１７】
検査室情報の管理および制御のためのシステムであって、
患者および検査室の情報を管理する検査室情報システムと、
ローカルなデータ要素を用いて構成され、およびグローバルなデータ要素を共有するように構成された第１のホストであって、前記ローカルなデータ要素は、前記第１のホストのみによって用いられるデータ定義およびデータ値を有し、前記第１のホストは、前記第１のホストに接続される少なくとも１つの検査室機器に対する処理を行なうことに関連して前記データ要素のうちの少なくとも１つを用いる、第１のホストと、
前記グローバルなデータ要素を共有するように構成された第２のホストと、
前記第２のホストによって制御される少なくとも１つの検査室機器と、
前記検査室情報システム、前記第１のホスト、および前記第２のホストと通信するサーバであって、前記サーバは、前記グローバルなデータ要素を含むデータベースを管理し、前記サーバは、前記第１のホストおよび前記第２のホストと通信して、前記グローバルなデータ要素の現在のコピーを、前記データベース内と、前記第１のホストおよび前記第２のホストのそれぞれにおける前記グローバルなデータ要素のローカルなコピー内とに維持する、サーバと、を含むシステム。
【請求項１８】
検査室における少なくとも１つの機器を制御するホストを構成するためのコンピュータ・プログラムであって、
請求項１乃至１６のいずれか一項に記載の方法を実行するためのコードを含むコンピュータ・プログラム。